(57)【要約】【課題】電源配線の引き回しを簡単なものとしながら、輝度を向上させること。【解決手段】バックライト装置２４は、底板２２ａと、二つの側面に設けられた光入射面２０ａと、一方の板面に設けられた光出射面２０ｂと、を有し、他方の板面が底板２２ａの表面側に向けられて配された導光板２０と、底板２２ａの表面側に、その発光面が光入射面２０ａと対向する形で配されたＬＥＤ２８と、ＬＥＤ２８に電力を供給する電源配線３８と、導光板２０の一方の板面と当接して配された反射シート２６と、電源配線３８を収容し、その一部が光入射面２０ａよりもＬＥＤ２８側にはみ出した形で反射シート２６の光入射面２０ａ側の端部と底板２２ａとの間に配されることで導光板２０と反射シート２６とを底板２２ａに対して支持するとともに、少なくとも反射シート２６側に向けられた上面４０ａが光反射性を有するものとされた配線ホルダ４０と、を備える。【選択図】図４
2013247073.tif 000002
【特許請求の範囲】
【請求項１】
板状部材と、
少なくとも一つの側面に設けられた光入射面と、一方の板面に設けられた光出射面と、を有し、他方の板面が前記板状部材の一方の面側に向けられて配された導光板と、
前記板状部材の前記一方の面側に、その発光面が前記光入射面と対向する形で配された光源と、
前記光源に電力を供給する電源配線と、
前記導光板の前記一方の板面と当接して配された反射シートと、
前記電源配線を収容し、その一部が前記光入射面よりも前記光源側にはみ出した形で前記反射シートの前記光入射面側の端部と前記板状部材との間に配されることで前記導光板と前記反射シートとを前記板状部材に対して支持するとともに、少なくとも前記反射シート側に向けられた面が光反射性を有するものとされた配線ホルダと、
を備える照明装置。
【請求項２】
長方形の板状をなし、一方の板面に複数の前記光源が配された光源基板をさらに備え、
前記配線ホルダは、前記板状部材側に開口し、前記電源配線が収容されるとともに、前記光源基板の長辺方向に沿って溝状に延びる収容溝を有する、請求項１に記載の照明装置。
【請求項３】
前記板状部材の前記一方の面に前記光源基板の長辺方向に沿って溝状に延びる位置決め溝が設けられ、
前記配線ホルダは、前記板状部材側に向けられた部位が前記位置決め溝に嵌合されることで前記導光板の板面方向に位置決めされている、請求項２に記載の照明装置。
【請求項４】
前記配線ホルダは、前記光源基板側に突出する位置決め突出部を有し、該位置決め突出部の先端が前記光源基板の板面と当接することで前記導光板の板面方向に位置決めされている、請求項２に記載の照明装置。
【請求項５】
前記配線ホルダは、前記光源基板の長辺方向の端部に前記電源配線が引き出された引き出し開口を有し、
前記引き出し開口から引き出された前記電源配線が前記光源基板と電気的に接続されている、請求項２から請求項４のいずれか１項に記載の照明装置。
【請求項６】
前記配線ホルダの前記反射シート側に向けられた面に光反射性部材が貼り付けられている、請求項１から請求項５のいずれか１項に記載の照明装置。
【請求項７】
前記配線ホルダは、その前記光源側に向けられた面が前記光源の前記発光面に対して前記光入射面側に２．０ｍｍ離間した位置から前記発光面に対して該光入射面とは反対側に０．８ｍｍ離間した位置の間となるような範囲に配されている、請求項１から請求項６のいずれか１項に記載の照明装置。
【請求項８】
前記導光板と前記光源と前記反射シートを収容するシャーシをさらに備え、
前記板状部材は、前記シャーシの一部をなしている、請求項１から請求項７のいずれか１項に記載の照明装置。
【請求項９】
前記板状部材をその一部とし、放熱性を有する放熱部材と、
前記導光板と前記光源と前記反射シートと前記放熱部材とを収容するシャーシをさらに備える、請求項１から請求項７のいずれか１項に記載の照明装置。
【請求項１０】
請求項１から請求項９のいずれか１項に記載の照明装置からの光を利用して表示を行う表示パネルを備える表示装置。
【請求項１１】
前記表示パネルが液晶を用いた液晶パネルである、請求項１０に記載の表示装置。
【請求項１２】
請求項１０又は請求項１１に記載の表示装置を備えるテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、導光板の側面に光入射面が設けられ、導光板の側面側にＬＥＤ等の光源が配されたエッジライト型のバックライト装置が知られている。
【０００３】
エッジライト型のバックライト装置では、筺体としてのシャーシ内に導光板が収容され、導光板から漏れた光を反射させて再び導光板に入光させるための反射シートがシャーシの底板側に向けられた導光板の板面に当接して配されることがある。このようなバックライト装置では、反射シートの光入射面側の端部がその自重等で垂れ下がり、導光板から剥離することがある。反射シートの光入射面側の端部が導光板から剥離すると、導光板と反射シートとの間に光が入光することに起因する光漏れ等が生じ、導光板の光出射面における輝度が低下することがある。このため、反射シートの光入射面側の端部をシャーシ等の筐体に対して支持するための支持部材が必要とされる。このような支持部材が配された照明ユニットが、例えば特許文献１に開示されている。
【先行技術文献】
【特許文献】
【０００４】
【特許文献１】特開２００９−２０５８６６号公報
【発明の概要】
【発明が解決しようとする課題】
【０００５】
ところで、バックライト装置では、ＬＥＤ等の光源が実装された光源基板に対して電力を供給するための電源配線を筐体内において引き回すことが必要とされる。このような電源配線は光源基板に対して電気的に接続する必要があるため、通常、導光板と光源基板との間まで引き回される。しかしながら、上記の特許文献１の照明ユニットでは、電源配線を引き回すのに支持部材が邪魔となってしまい、電源配線の引き回しが困難となる。
【０００６】
本明細書で開示される技術は、上記の課題に鑑みて創作されたものである。本明細書で開示される技術では、電源配線の引き回しを簡単なものとしながら、輝度を向上させることが可能なエッジライト型の照明装置を提供することを目的とする。
【課題を解決するための手段】
【０００７】
本明細書で開示される技術は、板状部材と、少なくとも一つの側面に設けられた光入射面と、一方の板面に設けられた光出射面と、を有し、他方の板面が前記板状部材の一方の面側に向けられて配された導光板と、前記板状部材の前記一方の面側に、その発光面が前記光入射面と対向する形で配された光源と、前記光源に電力を供給する電源配線と、前記導光板の前記一方の板面と当接して配された反射シートと、前記電源配線を収容し、その一部が前記光入射面よりも前記光源側にはみ出した形で前記反射シートの前記光入射面側の端部と前記板状部材との間に配されることで前記導光板と前記反射シートとを前記板状部材に対して支持するとともに、少なくとも前記反射シート側に向けられた面が光反射性を有するものとされた配線ホルダと、を備える照明装置に関する。
【０００８】
上記のような照明装置によれば、導光板と反射シートの光入射面側の端部とを板状部材に対して支持するための支持部材を電源配線が収容される配線ホルダとして兼用することで、電源配線を引き回し易いものとすることができる。さらに、反射シートが配線ホルダによって支持されることで光入射面の近傍において反射シートが導光板から剥離されることが防止されており、配線ホルダの反射シート側に向けられた面が光反射性を有するものとされているので、光源から出射されて配線ホルダ側に向かった光を配線ホルダによって光入射面側へと反射させることができる。これにより、光入射面に対する入光効率を高めることができ、導光板の光出射面における輝度を向上させることができる。以上のように、上記の照明装置では、電源配線の引き回しを簡単なものとしながら、輝度を向上させることができる。
【０００９】
長方形の板状をなし、一方の板面に複数の前記光源が配された光源基板をさらに備え、前記配線ホルダは、前記板状部材側に開口し、前記電源配線が収容されるとともに、前記光源基板の長辺方向に沿って溝状に延びる収容溝を有してもよい。
この構成によると、電源配線を収容溝に沿って収容することで電源配線を配線ホルダに効率的に収容させることができ、さらに、収容溝が板状部材側に開口するものとなっていることで、電源配線と光源との間が配線ホルダによって隔てられた形となるので、光源から出射されて配線ホルダ側に向かった光を配線ホルダによって光入射面側に効果的に反射させることができる。
【００１０】
前記板状部材の前記一方の面に前記光源基板の長辺方向に沿って溝状に延びる位置決め溝が設けられ、前記配線ホルダは、前記板状部材側に向けられた部位が前記位置決め溝に嵌合されることで前記導光板の板面方向に位置決めされていてもよい。
この構成によると、配線ホルダが位置決めされることで、振動等が発生した場合であっても配線ホルダが移動し難いものとなるので、配線ホルダによる光反射の態様を変化し難いものとすることができ、導光板の光出射面において輝度が低下することや輝度がばらつくことを防止ないし抑制することができる。このため、照明装置の光学特性を良好なものとすることができる。
【００１１】
前記配線ホルダは、前記光源基板側に突出する位置決め突出部を有し、該位置決め突出部の先端が前記光源基板の板面と当接することで前記導光板の板面方向に位置決めされていてもよい。
この構成によると、配線ホルダが位置決めされることで、振動等が発生した場合であっても配線ホルダが移動し難いものとなるので、配線ホルダによる光反射の態様を変化し難いものとすることができ、導光板の光出射面において輝度が低下することや輝度がばらつくことを防止ないし抑制することができる。このため、照明装置の光学特性を良好なものとすることができる。
【００１２】
前記配線ホルダは、前記光源基板の長辺方向の端部に前記電源配線が引き出された引き出し開口を有し、前記引き出し開口から引き出された前記電源配線が前記光源基板と電気的に接続されていてもよい。
この構成によると、引き出し開口が配線ホルダの端部に設けられることとなるので、引き出し開口を設けることによって配線ホルダの光反射性が低下することを防止ないし抑制することができる。
【００１３】
前記配線ホルダの前記反射シート側に向けられた面に光反射性部材が貼り付けられていてもよい。
この構成によると、光反射性を有する部材で配線ホルダを形成しなくとも、光反射性部材を別途用意すればよいので、部材コストの低減や製造工程の簡略化を図ることができる。
【００１４】
前記配線ホルダは、その前記光源側に向けられた面が前記光源の前記発光面に対して前記光入射面側に２．０ｍｍ離間した位置から前記発光面に対して該光入射面とは反対側に０．８ｍｍ離間した位置の間となるような範囲に配されていてもよい。
この構成によると、光源から出射されて配線ホルダ側に向かった光を配線ホルダによって光入射面側へ効果的に反射させることができる。
【００１５】
前記導光板と前記光源と前記反射シートを収容するシャーシをさらに備え、前記板状部材は、前記シャーシの一部をなしていてもよい。
この構成によると、板状部材とシャーシとを別部材とする必要がないため、照明装置を簡単な構成とすることができる。
【００１６】
前記板状部材をその一部とし、放熱性を有する放熱部材と、前記導光板と前記光源と前記反射シートと前記放熱部材とを収容するシャーシをさらに備えてもよい。
この構成によると、光源基板とシャーシとの間に放熱部材が介在する構成となるので、光源基板に発生する熱を照明装置の外部へと効果的に放熱させることができる。
【００１７】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。
【発明の効果】
【００１８】
本明細書で開示される技術によれば、エッジライト型の照明装置において電源配線の引き回しを簡単なものとしながら、輝度を向上させることができる。
【図面の簡単な説明】
【００１９】
【図１】実施形態１に係るテレビ受信装置ＴＶの分解斜視図
【図２】液晶表示装置１０の分解斜視図
【図３】液晶表示装置１０の断面図
【図４】液晶表示装置１０の要部断面図
【図５】配線ホルダ４０と放熱部材２６の長辺方向における一方の端部を立ち上がり部１３６ｂの外側上方から視た斜視図
【図６】実施形態１の変形例に係る液晶表像装置１１０の要部断面図
【図７】実施形態２に係る液晶表示装置２１０の要部断面図
【図８】実施形態２に係る配線ホルダ２４０と放熱部材２３６の長辺方向における一方の端部を立ち上がり部２３６ｂの外側上方から視た斜視図
【図９】実施形態３に係る液晶表示装置３１０の要部断面図
【図１０】実施形態３に係る配線ホルダ３４０と放熱部材３３６の長辺方向における一方の端部を立ち上がり部３３６ｂの外側上方から視た斜視図
【図１１】実施形態４に係る液晶表示装置４１０の断面図
【発明を実施するための形態】
【００２０】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２１】
テレビ受信装置ＴＶは、液晶表示装置（表示装置の一例）１０と、当該液晶表示装置１０を挟むようにして収容する表裏両キャビネットＣａ、Ｃｂと、電源Ｐと、チューナーＴと、スタンドＳと、を備えている。なお、図２に示す上側を表側とし、同図下側を裏側とする。図２に示すように、液晶表示装置１０は、全体として横長の方形を成し、表示パネルである液晶パネル１６と、外部光源であるバックライト装置（照明装置の一例）２４とを備え、これらが枠状を成すベゼル１２などにより一体的に保持されるようになっている。
【００２２】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２３】
続いて、バックライト装置２４について説明する。図３は、液晶表示装置１０を鉛直方向（Ｙ軸方向）に沿って切断した断面の断面図を示している。図２及び図３に示すように、バックライト装置２４は、フレーム１４と、光学部材１８と、シャーシ２２と、一対の放熱部材３６，３６と、配線ホルダ４０と、を備えている。フレーム１４は、枠状を成しており、導光板２０の表面（光出射面２０ｂ）の端縁側に沿って配され、内縁に沿って液晶パネル１６を支持している。光学部材１８は、導光板２０の表側に設けられた光出射面２０ｂ上に載置されている。液晶パネル１６と光学部材１８との間は、その一部にフレーム１４の一部が介在することで離間したものとなっている。
【００２４】
シャーシ２２内には、一対のＬＥＤ（Light Emitting Diode）ユニット３２，３２と、反射シート２６と、導光板２０と、一対の放熱部材３６，３６と、配線ホルダ４０とが収容されている。放熱部材３６は、シャーシ２２の長辺方向（Ｘ軸方向）に延びると共に断面略Ｌ字状をなしている。ＬＥＤユニット３２は、シャーシ２２の長辺方向（Ｘ軸方向）に沿って延びており、導光板２０の両長辺側であって各放熱部材３６の内側に当接して配されており、導光板２０の光入射面２０ａ側に向かって光を出射する。導光板２０の長手方向側面（光入射面）２０ａはそれぞれＬＥＤユニット３２と対向する位置に配されており、当該ＬＥＤユニット３２から出射される光を液晶パネル１６側へ導く。このように本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。
【００２５】
シャーシ２２は、例えばアルミ系材料などの金属製とされ、平面視長方形状の底板２２ａと、底板２２ａの両長辺の各外縁から立ち上がる側板２２ｂ，２２ｃと、底板２２ａの両短辺の各外縁から立ち上がる側板とから構成されている。シャーシ２２内において一対のＬＥＤユニット３２，３２と対向する空間が、導光板２０用の収容空間となっている。なお、底板２２ａの裏側には、ＬＥＤユニット３２に電力を供給する電源回路基板（図示しない）等が取り付けられている。
【００２６】
光学部材１８は、平面視長方形状をなし、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｄの上面側には反射型偏光板１８ｄから離間した形で液晶パネル１６が設置されている。光学部材１８は、図３に示すように、その短辺方向の両端部が、光入射面２０ａよりも内側（シャーシ２２の中央側）に位置した形で配されている。
【００２７】
ＬＥＤユニット３２は、樹脂製の矩形状を成すＬＥＤ基板３０に、白色発光するＬＥＤ２８が一列に並んだ構成となっている。ＬＥＤ基板３０は、ＬＥＤ２８が配された面（以下、実装面３０ａと称する）が光反射性を有するものとされ、実装面３０ａとは反対側の面が後述する放熱部材３６の立ち上がり部３６ｂの板面と当接した状態で配されている。ＬＥＤ基板３０は、その下端部、即ちＬＥＤ基板３０の短辺方向（Ｚ軸方向）におけるシャーシ２２側の端部が放熱部材３６側に向かって延びており、その先端面が後述する放熱部材３６の底面部（板状部材の一例）３６ａと当接している。なお、ＬＥＤ２８は、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００２８】
導光板２０は、矩形状の板状部材とされ、アクリル等の透光性の大きい（透明度の高い）樹脂により形成されており、反射シート２６と当接していると共に、シャーシ２２の底板２２ａから離間した状態で、後述する配線ホルダ４０によって放熱部材３６の底面部３６ａ上に支持されている。導光板２０は、図２及び図３に示すように、一対のＬＥＤユニット３２，３２の間に、主板面である光出射面２０ｂを拡散シート１８ａ側に向け、光出射面２０ｂとは反対側の板面である反対板面２０ｃを反射シート２６側に向ける形で配されている。このような導光板２０が配設されることにより、ＬＥＤユニット３２から生じた光は、導光板２０の入光面２０ａから入射して拡散シート１８ａと対向する光出射面２０ｂから出射することで、液晶パネル１６をその背面側から照射する。
【００２９】
反射シート２６は、長方形状を成し、合成樹脂製とされると共にその表面が光反射性に優れた白色とされており、導光板２０の反対板面２０ｃと当接するとともに放熱部材３６の底面部３６ａ及びシャーシ２２の底板２２ａから離間した状態で配されている。反射シート２６は、その表側に反射面を有し、この反射面が導光板２０の反対板面２０ｃと当接している。そして、反射シート２６は、ＬＥＤユニット３２又は導光板２０からその反射面側へ漏れた光を反射させることが可能となっている。なお、反射シート２６の光入射面２０ａ側の端辺は光入射面２０ａと導光板２０の厚み方向（Ｚ軸方向）において一致している。
【００３０】
放熱部材３６は、断面視Ｌ字状をなしており、ＬＥＤ基板３０よりも高い放熱性を有する板状部材であり、シャーシ２２の長辺方向（Ｘ軸方向）に沿って配され、底面部３６ａと、立ち上がり部３６ｂとから構成されている（図４参照）。底面部３６ａは、平面視矩形状をなし（図２参照）、シャーシ２２の長辺方向に沿った各側板２２ｂ、２２ｃ側から導光板２０の長辺方向に沿った各端面（光入射面２０ａ）側に亘ってシャーシ２２の底板２２ａに沿って延びており、シャーシ２２の底板２２ａと当接して配されている。底面部３６ａの一方の端部は、シャーシ２２の側板２２ｂと当接している。立ち上がり部３６ｂは、シャーシ２２の側板２２ｂ、２２ｃと当接する側の底面部３６ａの端縁から板状をなしてシャーシ２２の底板２２ａに対して垂直に立ち上がっており、一方の面（外側の面）がシャーシ２２の側板２２ｂと当接すると共に、他方の面（内側の面）がＬＥＤ基板３０の実装面３０ａとは反対側の板面（外側の面）と当接している。
【００３１】
続いて本実施形態の要部である、配線ホルダ４０の構成、配置態様、及び効果について説明する。配線ホルダ４０は、ＬＥＤ２８に電力を供給するための電源配線３８が収容されるホルダであり、図４に示すように、反射シート２６の光入射面２０ａ側の端部と放熱部材３６の底面部３６ａとの間に配されている。配線ホルダ４０は、図２に示すように、シャーシ２２の長辺方向（Ｘ軸方向）に沿って延びる略角柱状をなしている。配線ホルダ４０には、下側（放熱部材３６の底面部３６ａ側）に開口するとともに配線ホルダ４０の延びる方向（シャーシ２２の長辺方向、Ｘ軸方向）に沿って延びる収容溝４０ｂが設けられている。そして、この収容溝４０ｂ内に、当該収容溝４０ｂの延びる方向（Ｘ軸方向）に沿って電源配線３８が収容されている。収容溝４０ｂ内に収容された電源配線３８は、その一端がシャーシ２２の裏側まで引き回されるとともに上述した電源回路基板と電気的に接続されており、その他端がＬＥＤ基板３０と電気的に接続されている。
【００３２】
配線ホルダ４０は、その上面４０ａの一部（ＬＥＤ２８に近い側の部位）が導光板２０の光入射面２０ａよりもＬＥＤ２８側にはみ出すような配置とされており（以下、ＬＥＤ２８側にはみ出した部位をはみ出し部位４０ａ１と称する）、上面４０ａの一部がＬＥＤ２８側に露出した状態となっている。そして、配線ホルダ４０の上面４０ａのうち、はみ出し部位４０ａ１を除いた部位は、反射シート２６の光入射面２０ａ側の端部と当接している（以下、当該当接している部位を当接部位４０ａ２と称する）。また、配線ホルダ４０の下部先端面（収容溝４０ｂの側壁の先端面に相当する）は、放熱部材３６の底面部３６ａと当接している。配線ホルダ４０がこのように配されることで、導光板２０の光入射面２０ａ側の端部及び反射シート２６の光入射面２０ａ側の端部は、配線ホルダ４０によって放熱部材３６の底面部３６ａに対して支持されたものとなっている。即ち、配線ホルダ４０は、電源配線３８を収容する機能と共に、導光板２０や反射シート２６の支持部材としての機能も果たしている。なお、本実施形態では、配線ホルダ４０におけるＬＥＤ２８側に向けられた面とＬＥＤ２８の発光面との間の距離Ｗ１が２．０ｍｍ以内となるような配置で配線ホルダ４０が設けられている。
【００３３】
配線ホルダ４０の長辺方向（Ｘ軸方向）の端部には、図５に示すように、ＬＥＤ基板３０側に向けて開口する引き出し開口４０ｃが設けられている。電源配線３８の上記した他端は、この引き出し開口４０ｃからＬＥＤ基板３０側へ引き出されており、ＬＥＤ基板３０の長辺方向（Ｘ軸方向）の端部に設けられた接続端子３１と電気的に接続されている。これにより、電源回路基板から電源配線３８を通じて伝わってきた電力が、ＬＥＤ基板３０に設けられた接続端子３１及び接続配線（図示せず）を介してＬＥＤ２８に供給される構成となっている。
【００３４】
電源配線３８が上記のような態様で配線ホルダ４０の収容溝４０ｂ内に収容されることで、電源配線３８は配線ホルダ４０と放熱部材３６の底面部３６ａとによって覆われた状態となっている。そして、上記のように引き出し開口４０ｃが配線ホルダ４０の長辺方向（Ｘ軸方向）の端部に設けられていることによって、各ＬＥＤ２８と電源配線３８との間は配線ホルダ４０によって隔てられた状態となっている。ここで、本実施形態では、配線ホルダ４０の全体が光反射性を有する白色の材料で形成されている。このため、ＬＥＤ２８から出射されて配線ホルダ４０側に向かった光は、配線ホルダ４０の外面に当たることで反射されるものとなっている。
【００３５】
さて、バックライト装置２４では、上記のように反射シート２６の光入射面２０ａ側の端部が配線ホルダ４０によって放熱部材３６の底面部３６ａに対して支持される構成としながら、配線ホルダ４０内に電源配線３８が収容されることで、反射シート２６の光入射面２０ａ側の端部が導光板２０から剥離することを防止しながら、ＬＥＤ２８に電力を供給するための電源配線３８をＬＥＤ基板３０の実装面３０ａと導光板２０の光入射面２０ａとの間において好適に引き回すことができる。さらに、配線ホルダ４０のＬＥＤ２８側に露出した上面４０ａが光反射性を有しているので、ＬＥＤ２８から配線ホルダ４０の上面４０ａ側に直接向かった光を配線ホルダ４０によって光入射面２０ａ側へと反射させることができ、ＬＥＤ２８から出射された光の光入射面２０ａへの入光効率を向上させることができる。
【００３６】
以上のように本実施形態に係るバックライト装置２４では、導光板２０の光入射面２０ａ側の端部と反射シート２６の光入射面２０ａ側の端部とを放熱部材３６の底面部３６ａに対して支持するための支持部材を電源配線３８が収容される配線ホルダ４０として兼用することで、電源配線３８をシャーシ２２内の光入射面２０ａとＬＥＤ基板３０との間の部位において引き回し易いものとすることができる。さらに、反射シート２６が配線ホルダ４０によって底面部３６ａに対して支持されることで光入射面２０ａの近傍において反射シート２６が導光板２０から剥離されることが防止されており、配線ホルダ４０の反射シート２６側に向けられた面が光反射性を有するものとされているので、ＬＥＤ２８から出射されて配線ホルダ４０側に向かった光を配線ホルダ４０によって光入射面２０ａ側へと反射させることができる。これにより、光入射面２０ａに対する入光効率を高めることができ、導光板２０の光出射面２０ｂにおける輝度を向上させることができる。以上のように、上記のバックライト装置２４では、電源配線３８の引き回しを簡単なものとしながら、導光板２０の光出射面２０ｂにおける輝度を向上させることができる。
【００３７】
また、本実施形態に係るバックライト装置２４では、反射シート２６が配線ホルダ４０によって放熱部材３６の底面部３６ａに対して支持されており、反射シート２６が配線ホルダ４０から離間して配された構成となっているので、ＬＥＤ２８近傍に発生して放熱部材３６の底面部３６ａまで伝わった熱が反射シート２６側に伝わり難いものとなっている。このため、ＬＥＤ２８近傍に発生する熱によって反射シート２６が撓むことを防止ないし抑制することができる。
【００３８】
また、本実施形態に係るバックライト装置２４では、配線ホルダ４０が、放熱部材３６の底面部３６ａ側に開口し、電源配線３８が収容されるとともに、ＬＥＤ基板３０の長辺方向（Ｘ軸方向）に沿って溝状に延びる収容溝４０ｂを有している。これにより、電源配線３８を収容溝４０ｂに沿って収容することで電源配線３８を配線ホルダ４０に効率的に収容させることができ、さらに、収容溝４０ｂが放熱部材３６の底面部３６ａ側に開口するものとなっていることで、電源配線３８とＬＥＤ２８との間が配線ホルダ４０によって隔てられた形となるので、ＬＥＤ２８から出射されて配線ホルダ４０側に向かった光を配線ホルダ４０によって光入射面２０ａ側に効果的に反射させることができる。
【００３９】
また、本実施形態に係るバックライト装置２４では、配線ホルダ４０が、ＬＥＤ基板３０の長辺方向（Ｘ軸方向）の端部に電源配線３８が引き出された引き出し開口４０ｃを有しており、引き出し開口４０ｃから引き出された電源配線３８がＬＥＤ基板３０と接続端子３１を介して電気的に接続されている。これにより、引き出し開口４０ｃが配線ホルダ４０の端部に設けられることとなるので、引き出し開口４０ｃを設けることによって配線ホルダ４０の光反射性が低下することを防止ないし抑制することができる。
【００４０】
また、本実施形態に係るバックライト装置２４では、配線ホルダ４０は、そのＬＥＤ側に向けられた面がＬＥＤ２８の発光面に対して光入射面２０ａ側に２．０ｍｍ離間した位置からＬＥＤ２８の発光面に対して光入射面２０ａとは反対側に０．８ｍｍ離間した位置の間となるような範囲に配されている。このため、ＬＥＤ２８から出射されて配線ホルダ４０側に向かった光を配線ホルダ４０によって光入射面２０ａ側へ効果的に反射させることができる。
【００４１】
＜実施形態１の変形例＞
続いて実施形態１の変形例について説明する。変形例は、配線ホルダ１４０における光反射性を有する部位が実施形態１のものと異なっている。その他の構成については実施形態１のものと同様であるため、構造、作用、及び効果の説明は省略する。なお、図６において、図４の参照符号に数字１００を加えた部位は、実施形態１で説明した部位と同一である。変形例に係るバックライト装置１２４では、図６に示すように、配線ホルダ１４０の上面（反射シート１２６側に向けられた面）に光反射性部材１４０ｄが貼り付けられており、配線ホルダ１４０の一部に光反射性部材１４０ｄが含まれた構成とされている。即ち、配線ホルダ１４０は、その上面部のみが光反射性を有するものとされている。配線ホルダ１４０をこのような構成とすることで、光反射性を有する部材で配線ホルダ１４０を形成しなくとも、光反射性部材１４０ｄを別途用意すればよいものとなり、部材コストの低減や製造工程の簡略化を図ることができる。
【００４２】
＜実施形態２＞
図面を参照して実施形態２を説明する。実施形態２は、配線ホルダ２４０が位置決めされる構成とされている点で実施形態１のものと異なっている。その他の構成については実施形態１のものと同様であるため、構造、作用、及び効果の説明は省略する。なお、図７において、図４の参照符号に数字２００を加えた部位、及び図８において図５の参照符号に数字２００を加えた部位は、それぞれ実施形態１で説明した部位と同一である。
【００４３】
実施形態２に係るバックライト装置２２４では、図７及び図８に示すように、放熱部材２３６の底面部２３６ａに、表側（反射シート２２６側）に開口し、シャーシ２２２の長辺方向（放熱部材２３６の延びる方向、ＬＥＤ基板２３０の延びる方向、Ｘ軸方向）に沿って浅い位置決め溝２３６ａ１が設けられている。位置決め溝２３６ａ１の幅は、配線ホルダ２４０の幅と等しいものとされている。そして、この位置決め溝２３６ａ１に対して配線ホルダ２４０の下部先端がほぼ隙間が無い状態で嵌合されている。このような形で底面部２３６ａに設けられた位置決め溝２３６ａ１に対して配線ホルダ２４０が嵌合されることで、配線ホルダ２４０は、導光板２２０の板面方向（Ｘ−Ｙ平面方向）に位置決めされた状態となっている。このように配線ホルダ２４０が位置決めされることで、振動等が発生した場合であっても配線ホルダ２４０が移動し難いものとなるので、配線ホルダ２４０による光反射の態様を変化し難いものとすることができ、導光板２２０の光出射面２２０ｂにおいて輝度が低下することや輝度がばらつくことを防止ないし抑制することができる。このため、バックライト装置２２４の光学特性を良好なものとすることができる。
【００４４】
＜実施形態３＞
図面を参照して実施形態３を説明する。実施形態３は、配線ホルダ２４０が位置決めされる構成とされている点で実施形態１及び実施形態２のものと異なっている。その他の構成については実施形態１のものと同様であるため、構造、作用、及び効果の説明は省略する。なお、図９において、図４の参照符号に数字３００を加えた部位、及び図１０において図５の参照符号に数字３００を加えた部位は、それぞれ実施形態１で説明した部位と同一である。
【００４５】
実施形態３に係るバックライト装置３２４では、図９及び図１０に示すように、配線ホルダ３４０のＬＥＤ基板３３０側に向けられた面の一部に、ＬＥＤ基板３３０側に突出する位置決め突出部３４０ｅが設けられている。位置決め突出部３４０ｅの先端は、面状とされており、その先端面はＬＥＤ基板３３０の実装面３３０ａと平行なものとされている。そして、位置決め突出部３４０ｅの先端面がＬＥＤ基板３３０の実装面３３０ａと当接した構成とされている。なお、この構成では、図１０に示すように、電源配線３３８の他端が引き出される引き出し開口３４０ｃが位置決め突出部３４０ｅの上面に設けられ、表側に開口した形となっている。このような形で位置決め突出部３４０ｅがＥＤ基板３３０の実装面３３０ａと当接することで、配線ホルダ３４０は、導光板３２０の板面方向（Ｘ−Ｙ平面方向）に位置決めされた状態となっている。このように配線ホルダ３４０が位置決めされることで、振動等が発生した場合であっても配線ホルダ３４０が移動し難いものとなるので、実施形態２と同様に、配線ホルダ３４０による光反射の態様を変化し難いものとすることができ、導光板３２０の光出射面３２０ｂにおいて輝度が低下することや輝度がばらつくことを防止ないし抑制することができる。このため、バックライト装置３２４の光学特性を良好なものとすることができる。
【００４６】
＜実施形態４＞
図面を参照して実施形態４を説明する。実施形態４は、バックライト装置４２４が、放熱部材を備えない点で実施形態１のものと異なっている。その他の構成については実施形態１のものと同様であるため、構造、作用、及び効果の説明は省略する。なお、図１１において、図３の参照符号に数字４００を加えた部位は、実施形態１で説明した部位と同一である。
【００４７】
実施形態４に係るバックライト装置４２４では、図１１及び図１２に示すように、バックライト装置４２４のシャーシ４２２内に放熱部材４３６が配されておらず、配線ホルダ４４０がシャーシ４２２の底板（板状部材の一例）４２２ａ上に配された構成とされている。配線ホルダ４４０は、その上面４４０ａが反射シート４２６と当接し、その下端がシャーシ４２２の底板４２２ａと当接している。これにより、導光板４２０の光入射面４２０ａ側の端部と反射シート４２６の光入射面４２０ａ側の端部とが配線ホルダ４４０によってシャーシ４２２の底板４２２ａに対して支持されたものとなっている。このような構成とされている場合であっても、配線ホルダ４４０が支持部材としての機能の他に電源配線４３８が収容される部材としての機能を果たすので、電源配線４３８を引き回し易いものとすることができ、また、配線ホルダ４４０が光反射性を有することから、光入射面４２０ａに対する入光効率を高めることができ、導光板４２０の光出射面４２０ｂにおける輝度を向上させることができる。
【００４８】
上記の各実施形態の変形例を以下に列挙する。
（１）上記の各実施形態では、配線ホルダがシャーシの長辺方向に沿って略角柱状に延びる形状とされた構成を例示したが、配線ホルダの形状は限定されない。
【００４９】
（２）上記の各実施形態では、配線ホルダに設けられた収容溝内に電源配線が収容された構成を例示したが、配線ホルダ内に電源配線が収容される態様は限定されない。
【００５０】
（３）上記の各実施形態では、配線ホルダが白色の材料で形成された構成を例示したが、配線ホルダは、少なくとも反射シート側に向けられた面が光反射性を有していればよく、白色に限定されない。
【００５１】
（４）上記の実施形態１では、配線ホルダにおけるＬＥＤ側に向けられた面とＬＥＤの発光面との間の距離が２．０ｍｍ以内となるように配線ホルダが設けられた構成を例示したが、２．０ｍｍを超える距離とされていてもよい。また、配線ホルダにおけるＬＥＤ側に向けられた面がＬＥＤの発光面に対して光入射面とは反対側に位置する構成（ＬＥＤの一部と配線ホルダの一部とが平面視において重畳する構成）であってもよい。この場合、配線ホルダにおけるＬＥＤ側に向けられた面とＬＥＤの発光面との間の距離が０．８ｍｍ以内であれば、ＬＥＤから出射されて配線ホルダ側に向かった光を配線ホルダによって光入射面側へ効果的に反射させることができる。
【００５２】
（５）上記の実施形態２及び実施形態３では、位置決め溝や位置決め突出部によって配線ホルダが板状部材に対して位置決めされる構成を例示したが、配線ホルダが板状部材に対して位置決めされるための構成は限定されない。
【００５３】
（６）上記の各実施形態では、導光板の長辺側をなす両側面側に光入射面が設けられた構成を例示したが、導光板の一つの側面にのみ光入射面が設けられ、導光板の一つの側面側にのみ配線ホルダが設けられた構成であってもよい。または、導光板の三つ以上の側面に光入射面が設けられ、各光入射面側にそれぞれ配線ホルダが設けられた構成であってもよい。
【００５４】
（７）上記の各実施形態以外にも、配線ホルダの構成、形状等については、適宜に変更可能である。
【００５５】
（８）上記の各実施形態では、表示パネルとして液晶パネルを用いた液晶表示装置を例示したが、他の種類の表示パネルを用いた表示装置にも本発明は適用可能である。
【００５６】
（９）上記の各実施形態では、チューナーを備えたテレビ受信装置を例示したが、チューナーを備えない表示装置にも本発明は適用可能である。
【００５７】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００５８】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５９】
ＴＶ…テレビ受信装置、Ｃａ、Ｃｂ…キャビネット、Ｔ…チューナー、Ｓ…スタンド、１０、１１０、２１０、３１０、４１０…液晶表示装置、１２、１１２、２１２、３１２、４１２：ベゼル、１４、１１４、２１４、３１４、４１４…フレーム、１６、１１６、２１６、３１６…液晶パネル、１８、１１８、２１８、３１８、４１８…光学部材、２０、１２０、２２０、３２０、４２０…導光板、２０ａ、１２０ａ、２２０ａ、３２０ａ…光入射面、２０ｂ、１２０ｂ、２２０ｂ、３２０ｂ…光出射面、２２、１２２、２２２、３２２、４２２：シャーシ、２４、１２４、２２４、３２４、４２４…バックライト装置、２６、１２６、２２６、３２６、４２６…反射シート、２８、１２８、２２８、３２８…ＬＥＤ光源、３０、１３０、２３０、３３０、４３０…ＬＥＤ基板、３２、１３２、２３２、３３２、４３２…ＬＥＤユニット、３６、１３６、２３６、３３６…放熱部材、３８、１３８、２３８、３３８、４３８…電源配線、４０、１４０、２４０、３４０、４４０…配線ホルダ、４０ａ、１４０ａ、２４０ａ、３４０ａ、４４０ａ…（配線ホルダの）上面、４０ｂ、１４０ｂ、２４０ｂ、３４０ｂ、４４０ｂ…（配線ホルダに設けられた）収容溝、４０ｃ、１４０ｃ、２４０ｃ、３４０ｃ…引き出し開口、１４０ｄ…光反射性部材、２３６ａ１…位置決め溝、３４０ｅ…位置決め突出部
【図１】
2013247073.tif 000003
【図２】
2013247073.tif 000004
【図３】
2013247073.tif 000005
【図４】
2013247073.tif 000006
【図５】
2013247073.tif 000007
【図６】
2013247073.tif 000008
【図７】
2013247073.tif 000009
【図８】
2013247073.tif 000010
【図９】
2013247073.tif 000011
【図１０】
2013247073.tif 000012
【図１１】
2013247073.tif 000013